(57)【要約】【課題】  伝送時に劣化したデジタル信号を元の状態になるように補償する補償回路を有しないプロジェクタ等の映像出力機器を用いても、デジタル信号の長距離伝送を良好に行えるデジタル信号伝送ケーブル及びデジタルビデオ表示システムを得る。【解決手段】  デジタル信号伝送ケーブル２０のＬＳＩ内蔵雄型ＤＶＩコネクタ２３にデジタル信号の劣化を補償する補償回路４０を内蔵する。これにより、メタル線ケーブルでもデジタル信号の長距離伝送を良好に行うことができ、パソコン等の映像入力機器とプロジェクタ等の映像出力機器とが離れた位置にあっても、伝送時に劣化をデジタル信号を補償するので、画質劣化のない綺麗な映像を表示することができる。また、デジタル信号伝送ケーブル２０のように、始めにＨＤＭＩコネクタを取り付けたケーブルのみ所持している場合で、ＤＶＩコネクタを備えた映像入力機器と映像出力機器間を接続する場合に、ＤＶＩ/ＨＤＭＩ変換ケーブル１０を使用すればいとも簡単に接続することができる。【選択図】      図１
2006293857.tif 000002
【特許請求の範囲】
【請求項１】
メタル線の任意の一端にＤＤＷＧ(Digital Displey Working Group)が規格化した雄型ＤＶＩ(Digital Visual Interface)コネクタを有し、且つ該雄型ＤＶＩコネクタに、前記メタル線を伝播したデジタル信号の整形及び増幅を行う補償回路を有するデジタル信号伝送ケーブル。
【請求項２】
メタル線の一端にＨＤＭＩ(High Definition Multimedia Interface)基準に準拠した雄型ＨＤＭＩコネクタを有し、前記メタル線の他端にＤＤＷＧ(Digital Displey Working Group)により規格化された雄型ＤＶＩ(Digital Visual Interface)コネクタを有し、且つ該雄型ＤＶＩコネクタに、前記メタル線を伝播したデジタル信号の整形及び増幅を行う補償回路を有するデジタル信号伝送ケーブル。
【請求項３】
メタル線の一端に雄型ＤＶＩコネクタを有し、前記メタル線の他端にＨＤＭＩ規格に準拠した雌型ＨＤＭＩコネクタを有するＤＶＩ／ＨＤＭＩ変換ケーブルを備える請求項２に記載のデジタル信号伝送ケーブル。
【請求項４】
メタル線の一端に雄型ＨＤＭＩコネクタを有し、前記メタル線の他端に雌型ＤＶＩコネクタを有するＤＶＩ／ＨＤＭＩ変換ケーブルを備える請求項１に記載のデジタル信号伝送ケーブル。
【請求項５】
メタル線の一端に雄型ＨＤＭＩコネクタを有し、前記メタル線の他端に雌型ＤＶＩコネクタを有するＤＶＩ／ＨＤＭＩ変換ケーブルを備える請求項２に記載のデジタル信号伝送ケーブル。
【請求項６】
メタル線の一端に雄型ＨＤＭＩコネクタを有し、前記メタル線の他端に雌型ＤＶＩコネクタを有するＤＶＩ／ＨＤＭＩ変換ケーブルを備える請求項３に記載のデジタル信号伝送ケーブル。
【請求項７】
全ての前記ＤＶＩ／ＨＤＭＩ変換ケーブルは、コネクタ間のメタル線長が０．１ｍから０．４ｍである請求項３乃至請求項６に記載のデジタル信号伝送ケーブル。
【請求項８】
請求項２に記載のデジタル信号伝送ケーブルと、
雌型ＨＤＭＩコネクタを有する映像入力機器と、
雌型ＤＶＩコネクタを有する映像出力機器と、
を備え、
前記映像入力機器の前記雌型ＨＤＭＩコネクタに、前記デジタル信号伝送ケーブルの前記雄型ＨＤＭＩコネクタを接続し、
前記映像出力機器の前記雌型ＤＶＩコネクタに、前記デジタル信号伝送ケーブルの前記雄型ＤＶＩコネクタを接続して成るデジタルビデオ表示システム。
【請求項９】
請求項３に記載のデジタル信号伝送ケーブルと、
雌型ＤＶＩコネクタを有する映像入力機器と、
雌型ＤＶＩコネクタを有する映像出力機器と、
を備え、
前記映像入力機器の前記雌型ＤＶＩコネクタに、前記デジタル信号伝送ケーブルに含まれる前記ＤＶＩ／ＨＤＭＩ変換ケーブルの前記雄型ＤＶＩコネクタを接続し、
前記映像出力機器の前記雌型ＤＶＩコネクタに、前記デジタル信号伝送ケーブルの補償回路を備える前記雄型ＤＶＩコネクタを接続して成るデジタルビデオ表示システム。
【請求項１０】
請求項５に記載のデジタル信号伝送ケーブルと、
雌型ＨＤＭＩコネクタを有する映像入力機器と、
雌型ＨＤＭＩコネクタを有する映像出力機器と、
を備え、
前記映像入力機器の前記雌型ＨＤＭＩコネクタに、前記デジタル信号伝送ケーブルの補償回路を備える前記雄型ＤＶＩコネクタと反対側の前記雄型ＨＤＭＩコネクタを接続し、
前記映像出力機器の前記雌型ＨＤＭＩコネクタに、前記デジタル信号伝送ケーブルに含まれる前記ＤＶＩ／ＨＤＭＩ変換ケーブルの前記雄型ＨＤＭＩを接続して成るデジタルビデオ表示システム。
【請求項１１】
請求項６に記載のデジタル信号伝送ケーブルと、
雌型ＤＶＩコネクタを有する映像入力機器と、
雌型ＨＤＭＩコネクタを有する映像出力機器と、
を備え、
前記映像入力機器の前記雌型ＤＶＩコネクタに、前記デジタル信号伝送ケーブルに含まれる２つの前記ＤＶＩ／ＨＤＭＩ変換ケーブルのうち、雄型ＤＶＩコネクタを有する方の該雄型ＤＶＩコネクタを接続し、
前記映像出力機器の前記雌型ＨＤＭＩコネクタに、前記デジタル信号伝送ケーブルに含まれる２つの前記ＤＶＩ／ＨＤＭＩ変換ケーブルのうち、雄型ＨＤＭＩコネクタを有する方の該雄型ＨＤＭＩコネクタを接続して成るデジタルビデオ表示システム。
【請求項１２】
全ての前記ＤＶＩ／ＨＤＭＩ変換ケーブルは、コネクタ間のメタル線長が０．１ｍから０．４ｍである請求項９乃至請求項１１に記載のデジタルビデオ表示システム。
【請求項１３】
一端を映像出力機器のコネクタと直接又は別のケーブルを介して連結し、他端を映像入力機器のコネクタと直接又は別のケーブルを介して連結する接続器であって、
少なくともＤＶＩ(Digital Visual Interface)規格のインタフェースを含み、該インタフェースに、デジタル信号の整形及び増幅を行う補償回路を有する接続器。
【発明の詳細な説明】
【技術分野】
【０００１】
本発明は、デジタル信号を伝送するデジタル信号伝送ケーブル及び該ケーブルを用いたデジタルビデオ表示システムに関する。
【背景技術】
【０００２】
近年、コンピュータ（以後、パソコンと言う）や液晶ディスプレイの普及が著しく、従来のようなアナログ信号でなくデジタル信号による画像伝送技術が拡大してきた。ＤＶＩ(Digital Visual Interface)はその中で登場してきた新しい技術であり、利用範囲とともに使用される物品、機器が並行して開発される状況にある。ＤＶＩを採用したデジタル信号伝送ケーブルには、伝送距離が数メートルのメタル線を用いたものや、メタル線の伝送距離の制限を取り除いて長距離伝送を可能とした光ファイバを用いたものがある（例えば特許文献１参照）。
【０００３】
【特許文献１】特開２００２−３６６３４０号公報
【発明の開示】
【発明が解決しようとする課題】
【０００４】
ところで、ＤＶＩを採用したデジタル信号伝送ケーブルは、主にパソコンとディスプレイやプロジェクタの接続に用いられ、これまではこれらの機器が離れた位置に置かれることが少なかったため、距離や接続部品による信号の劣化の問題はそれほど大きくなかった。ところが、近年のデジタル画像の表示環境は大きく変わり、例えば大会場での映画などの動画の再生や壁面に設けた広告用ディスプレイなど表示場所が多様化し、映像入力機器と離れた位置に映像出力機器を設置する必要が生じてきた。また、従来のコンピュータの表示が主にテキストであったのに対し、写真や動画といった画質の重要視される用途が広がり、信号の劣化を防ぐことが極めて重要となってきた。
【０００５】
ＤＶＩ技術に関連して、伝送されてきた信号の整形や増幅を行う補償技術は機器部品として開発されていた。このような技術としては、デジタル信号伝送ケーブルを伝播してきた信号を整形した上で、従来から存在する増幅回路により増幅するのが一般的であった。ＤＶＩ仕様自体が広がるにつれ専用のＬＳＩが開発提供されるようになってきた。このようなＬＳＩとして米国ＭＡＸＩＭ社のＭＡＸ３８１５がある。しかしながら、このＬＳＩの使い方についてはプロジェクタなどの映像出力機器に内蔵する方法のみを対象としている。したがって、この種のＬＳＩを内蔵していないプロジェクタや液晶ディスプレイ等の映像出力機器をパソコンやＤＶＤ(Digital Versatile Disk)再生装置等の映像入力機器と離れた場所で使用することは信号の劣化の面から好ましいものではない。
【０００６】
この発明は、係る事情に鑑みてなされたものであり、上記ＬＳＩのようなデジタル信号の整形及び増幅を行う補償回路を内蔵していないプロジェクタや液晶ディスプレイ等の映像出力機器を用いても、デジタル信号の長距離伝送を良好に行うことができるデジタル信号伝送ケーブル及びデジタルビデオ表示システムを提供することを目的とする。
【課題を解決するための手段】
【０００７】
上記目的は下記構成により達成される。
（１）  デジタル信号伝送ケーブルであって、メタル線の任意の一端にＤＤＷＧ(Digital Display Working Group)が規格化した雄型ＤＶＩ(Digital Visual Interface)コネクタを有し、且つ該雄型ＤＶＩコネクタに、前記メタル線を伝播したデジタル信号の整形及び増幅を行う補償回路を有する。
【０００８】
（２）  デジタル信号伝送ケーブルであって、メタル線の一端にＨＤＭＩ(High Definition Multimedia Interface)基準に準拠した雄型ＨＤＭＩコネクタを有し、前記メタル線の他端にＤＤＷＧ(Digital Display Working Group)により規格化された雄型ＤＶＩ(Digital Visual Interface)コネクタを有し、且つ該雄型ＤＶＩコネクタに、前記メタル線を伝播したデジタル信号の整形及び増幅を行う補償回路を有する。
【０００９】
（３）  上記（２）に記載のデジタル信号伝送ケーブルにおいて、メタル線の一端に雄型ＤＶＩコネクタを有し、前記メタル線の他端にＨＤＭＩ規格に準拠した雌型ＨＤＭＩコネクタを有するＤＶＩ／ＨＤＭＩ変換ケーブルを備える。
【００１０】
（４）  上記（１）に記載のデジタル信号伝送ケーブルにおいて、メタル線の一端に雄型ＨＤＭＩコネクタを有し、前記メタル線の他端に雌型ＤＶＩコネクタを有するＤＶＩ／ＨＤＭＩ変換ケーブルを備える。
【００１１】
（５）  上記（２）に記載のデジタル信号伝送ケーブルにおいて、メタル線の一端に雄型ＨＤＭＩコネクタを有し、前記メタル線の他端に雌型ＤＶＩコネクタを有するＤＶＩ／ＨＤＭＩ変換ケーブルを備える。
【００１２】
（６）  上記（３）に記載のデジタル信号伝送ケーブルにおいて、メタル線の一端に雄型ＨＤＭＩコネクタを有し、前記メタル線の他端に雌型ＤＶＩコネクタを有するＤＶＩ／ＨＤＭＩ変換ケーブルを備える。
【００１３】
（７）  上記（３）乃至（６）に記載のデジタル信号伝送ケーブルにおいて、全ての前記ＤＶＩ／ＨＤＭＩ変換ケーブルは、コネクタ間のメタル線長が０．１ｍから０．４ｍである。
【００１４】
（８）  デジタルビデオ表示システムであって、上記（２）に記載のデジタル信号伝送ケーブルと、雌型ＨＤＭＩコネクタを有する映像入力機器と、雌型ＤＶＩコネクタを有する映像出力機器とを備え、前記映像入力機器の前記雌型ＨＤＭＩコネクタに、前記デジタル信号伝送ケーブルの前記雄型ＨＤＭＩコネクタを接続し、前記映像出力機器の前記雌型ＤＶＩコネクタに、前記デジタル信号伝送ケーブルの前記雄型ＤＶＩコネクタを接続して成る。
【００１５】
（９）  デジタルビデオ表示システムであって、上記（３）に記載のデジタル信号伝送ケーブルと、雌型ＤＶＩコネクタを有する映像入力機器と、雌型ＤＶＩコネクタを有する映像出力機器とを備え、前記映像入力機器の前記雌型ＤＶＩコネクタに、前記デジタル信号伝送ケーブルに含まれる前記ＤＶＩ／ＨＤＭＩ変換ケーブルの前記雄型ＤＶＩコネクタを接続し、前記映像出力機器の前記雌型ＤＶＩコネクタに、前記デジタル信号伝送ケーブルの補償回路を備える前記雄型ＤＶＩコネクタを接続して成る。
【００１６】
（１０）  デジタルビデオ表示システムであって、上記（５）に記載のデジタル信号伝送ケーブルと、雌型ＨＤＭＩコネクタを有する映像入力機器と、雌型ＨＤＭＩコネクタを有する映像出力機器とを備え、前記映像入力機器の前記雌型ＨＤＭＩコネクタに、前記デジタル信号伝送ケーブルの補償回路を備える前記雄型ＤＶＩコネクタと反対側の前記雄型ＨＤＭＩコネクタを接続し、前記映像出力機器の前記雌型ＨＤＭＩコネクタに、前記デジタル信号伝送ケーブルに含まれる前記ＤＶＩ／ＨＤＭＩ変換ケーブルの前記雄型ＨＤＭＩを接続して成る。
【００１７】
（１１）  デジタルビデオ表示システムであって、上記（６）に記載のデジタル信号伝送ケーブルと、雌型ＤＶＩコネクタを有する映像入力機器と、雌型ＨＤＭＩコネクタを有する映像出力機器とを備え、前記映像入力機器の前記雌型ＤＶＩコネクタに、前記デジタル信号伝送ケーブルに含まれる２つの前記ＤＶＩ／ＨＤＭＩ変換ケーブルのうち、雄型ＤＶＩコネクタを有する方の該雄型ＤＶＩコネクタを接続し、前記映像出力機器の前記雌型ＨＤＭＩコネクタに、前記デジタル信号伝送ケーブルに含まれる２つの前記ＤＶＩ／ＨＤＭＩ変換ケーブルのうち、雄型ＨＤＭＩコネクタを有する方の該雄型ＨＤＭＩコネクタを接続して成る。
【００１８】
（１２）  上記（９）乃至（１１）に記載のデジタル信号伝送ケーブルにおいて、全ての前記ＤＶＩ／ＨＤＭＩ変換ケーブルは、コネクタ間のメタル線長が０．１ｍから０．４ｍである。
【００１９】
（１３）  一端を映像出力機器のコネクタと直接又は別のケーブルを介して連結し、他端を映像入力機器のコネクタと直接又は別のケーブルを介して連結する接続器であって、少なくともＤＶＩ(Digital Visual Interface)規格のインタフェースを含み、該インタフェースに、デジタル信号の整形及び増幅を行う補償回路を有する。
【発明の効果】
【００２０】
上記（１）に記載のデジタル信号伝送ケーブルでは、雄型ＤＶＩコネクタにデジタル信号の整形及び増幅を行う補償回路を有するので、メタル線の他端側から伝播してきて歪んだり減衰したりしたデジタル信号波形を元の波形及びレベルに補償することができる。したがって、整形及び増幅を行うＬＳＩを内蔵していないプロジェクタや液晶ディスプレイ等の映像出力機器を用いても、デジタル信号の長距離伝送を良好に行うことができる。
【００２１】
上記（２）に記載のデジタル信号伝送ケーブルでは、雄型ＤＶＩコネクタにデジタル信号の整形及び増幅を行う補償回路を有するので、雄型ＨＤＭＩコネクタ側からメタル線を伝播してきて歪んだり減衰したりしたデジタル信号波形を元の波形及びレベルに補償することができる。したがって、整形及び増幅を行うＬＳＩを内蔵していないプロジェクタや液晶ディスプレイ等の映像出力機器を用いても、デジタル信号の長距離伝送を良好に行うことができる。
【００２２】
上記（３）に記載のデジタル信号伝送ケーブルでは、雌型ＤＶＩコネクタを備えたパソコンやＤＶＤ再生装置等の映像入力機器に接続することができ、プロジェクタや液晶ディスプレイ等の映像出力機器をパソコンやＤＶＤ再生装置等の映像入力機器から離れた場所で使用してもデジタル信号の歪や減衰を補償するので、画質劣化のない綺麗な映像を表示することができる。
【００２３】
上記（４）に記載のデジタル信号伝送ケーブルでは、雌型ＨＤＭＩコネクタを備えたプロジェクタや液晶ディスプレイ等の映像出力機器に接続することができ、当該機器をパソコンやＤＶＤ再生装置等の映像入力機器から離れた場所で使用してもデジタル信号の歪や減衰を補償するので、画質劣化のない綺麗な映像を表示することができる。
【００２４】
上記（５）に記載のデジタル信号伝送ケーブルでは、雌型ＨＤＭＩコネクタを備えたプロジェクタや液晶ディスプレイ等の映像出力機器に接続することができ、当該機器をパソコンやＤＶＤ再生装置等の映像入力機器から離れた場所で使用してもデジタル信号の歪や減衰を補償するので、画質劣化のない綺麗な映像を表示することができる。
【００２５】
上記（６）に記載のデジタル信号伝送ケーブルでは、雌型ＨＤＭＩコネクタを備えたプロジェクタや液晶ディスプレイ等の映像出力機器に接続することができ、当該機器をパソコンやＤＶＤ再生装置等の映像入力機器から離れた場所で使用してもデジタル信号の歪や減衰を補償するので、画質劣化のない綺麗な映像を表示することができる。
【００２６】
上記（７）に記載のデジタル信号伝送ケーブルでは、ＤＶＩ／ＨＤＭＩ変換ケーブルのコネクタ部分を除くメタル線の長さを０．１ｍから０．４ｍとしたので、雌型ＤＶＩコネクタを備えたパソコンやＤＶＤ再生装置等の映像入力機器又は雌型ＨＤＭＩコネクタを備えたプロジェクタや液晶ディスプレイ等の映像出力機器に接続した場合に、ＤＶＩ／ＨＤＭＩ変換ケーブルの他方のコネクタ（雌型ＨＤＭＩコネクタ、雌型ＤＶＩコネクタ）が邪魔になることがない。また、長すぎたりすることがないので、デジタル信号の歪や減衰が生ずることがない。
【００２７】
上記（８）に記載のデジタルビデオ表示システムでは、パソコンやＤＶＤ再生装置等の映像入力機器とプロジェクタや液晶ディスプレイ等の映像出力機器とが離れた位置にあっても、映像入力機器から映像出力機器へ伝送したデジタル信号の歪や減衰を補償するので、画質劣化のない綺麗な映像を表示することができる。
【００２８】
上記（９）に記載のデジタルビデオ表示システムでは、パソコンやＤＶＤ再生装置等の映像入力機器とプロジェクタや液晶ディスプレイ等の映像出力機器とが離れた位置にあっても、映像入力機器から映像出力機器へ伝送したデジタル信号の歪や減衰を補償するので、画質劣化のない綺麗な映像を表示することができる。
【００２９】
上記（１０）に記載のデジタルビデオ表示システムでは、パソコンやＤＶＤ再生装置等の映像入力機器とプロジェクタや液晶ディスプレイ等の映像出力機器とが離れた位置にあっても、映像入力機器から映像出力機器へ伝送したデジタル信号の歪や減衰を補償するので、画質劣化のない綺麗な映像を表示することができる。
【００３０】
上記（１１）に記載のデジタルビデオ表示システムでは、パソコンやＤＶＤ再生装置等の映像入力機器とプロジェクタや液晶ディスプレイ等の映像出力機器とが離れた位置にあっても、映像入力機器から映像出力機器へ伝送したデジタル信号の歪や減衰を補償するので、画質劣化のない綺麗な映像を表示することができる。
【００３１】
上記（１２）に記載のデジタルビデオ表示システムでは、ＤＶＩ／ＨＤＭＩ変換ケーブルのコネクタ部分を除くメタル線の長さを０．１ｍから０．４ｍとしたので、雌型ＤＶＩコネクタを備えたパソコン等の映像入力機器又は雌型ＨＤＭＩコネクタを備えたプロジェクタや液晶ディスプレイ等の映像出力機器に接続した場合に、ＤＶＩ／ＨＤＭＩ変換ケーブルの他方のコネクタ（雌型ＨＤＭＩコネクタ、雌型ＤＶＩコネクタ）が邪魔になることがない。また、長すぎたりすることがないので、デジタル信号の歪や減衰が生ずることがない。
【００３２】
上記（１３）に記載の接続器では、ＤＶＩ規格のインタフェースにデジタル信号の整形及び増幅を行う補償回路を備えているので、伝播してきて歪んだり減衰したりしたデジタル信号波形を元の波形及びレベルに補償することができる。したがって、パソコンやＤＶＤ再生装置等の映像入力機器と整形及び増幅を行うＬＳＩを内蔵していないプロジェクタや液晶ディスプレイ等の映像出力機器とが離れた位置にあっても、映像入力機器から映像出力機器へ伝送したデジタル信号の歪や減衰を補償するので、画質劣化のない綺麗な映像を表示することができる。
【発明を実施するための最良の形態】
【００３３】
以下、本発明を実施するための好適な実施の形態について、図面を参照して詳細に説明する。
【００３４】
図１は、本発明の一実施の形態に係るデジタルビデオ表示システムを示す概略図である。この図において、本実施の形態のデジタルビデオ表示システム１は、ＤＶＩ／ＨＤＭＩ(High Definition Multimedia Interface)変換ケーブル１０と、デジタル信号伝送ケーブル２０と、ＤＶＩ／ＨＤＭＩ変換ケーブル３０とを備えている。また、このデジタルビデオ表示システム１には、パソコンやＤＶＤ再生装置等の映像入力機器及びプロジェクタや液晶ディスプレイ等の映像出力機器（いずれも図示略）が含まれる。
【００３５】
ＤＶＩ／ＨＤＭＩ変換ケーブル１０は、絶縁被覆されたメタル線１１の一端に雄型ＤＶＩコネクタ１２が接続され、メタル線１１の他端に雌型ＨＤＭＩコネクタ１３が接続されてなる。メタル線１１は、その長さが短すぎるとパソコン等の映像出力機器（図示略）に接続したときに両端に接続したコネクタが邪魔になり、逆に長すぎると信号の歪や減衰が生じるため、０．１〜０．４ｍの間の長さに制限している。
【００３６】
デジタル信号伝送ケーブル２０は、５〜３０ｍの長さの絶縁被覆されたメタル線２１の一端に雄型ＨＤＭＩコネクタ２２が接続され、メタル線２１の他端にＬＳＩ内蔵雄型ＤＶＩコネクタ２３が接続されてなる。雄型ＨＤＭＩコネクタ２２は、その形状が図２の概観図に示すように幅１８ｍｍ、厚さ１０ｍｍ、奥行き４１ｍｍと、ＤＶＩコネクタ（図４参照）と比べて小型化されている。この雄型ＨＤＭＩコネクタ２２を使用することにより、デジタル信号伝送路を布設する際に、デジタル信号伝送ケーブル２０をその雄型ＨＤＭＩコネクタ２２側を先頭にすることで、細径の管路や狭い空間を容易に通過させることができる。
【００３７】
デジタル信号伝送ケーブル２０のＬＳＩ内蔵雄型ＤＶＩコネクタ２３には、５〜３０ｍの長さのメタル線２１にデジタル信号を通すことで生ずる歪や減衰を補償するための補償回路４０が内蔵されている。図３は、デジタル信号伝送ケーブル２０のＬＳＩ内蔵雄型ＤＶＩコネクタ２３に内蔵した補償回路４０の構成を示すブロック図である。この図において、補償回路４０は、画像信号増幅用ＬＳＩ４０１と、ＤＤＣ(Display Data Channel)信号増幅用ＬＳＩ４０２と、電圧変換素子４０３と、電源切替素子４０４とを備えている。画像信号増幅用ＬＳＩ４０１は、デジタル信号の歪を改善するとともに所定レベルまで増幅する機能を有する。この画像信号増幅用ＬＳＩ４０１としては、既存の規格に適合する部品（例えば、米国ＭＡＸＩＭ社製のＭＡＸ３８１５）の使用が可能であり、調達が容易であるとともに安価である。これにより、製品コストの上昇を最小限に抑えることができる。
【００３８】
ＤＤＣ信号増幅用ＬＳＩ４０２は、プロジェクタや液晶ディスプレイ等の映像出力機器（図示略）とパソコンやＤＶＤ再生装置等の映像出力機器（図示略）との間でＤＶＩ規格に基づく通信を行う機能を有するものである。すなわち、映像出力機器の表示能力（即ち解像度）を映像入力機器に伝達するためと、画像ソースの著作権保護のために映像出力機器と映像入力機器との間の相互認証信号伝送のためにＤＤＣ信号と呼ばれるデジタルデータの送受信を行う。このＤＤＣ信号の伝送速度は画像信号に比べると数千分の１程度と低速であるため、通常は整形及び増幅の必要はないが、必要に応じてＤＤＣ信号の整形及び増幅用のＬＳＩを内蔵するようにしても構わない。
【００３９】
画像信号増幅用ＬＳＩ４０１とＤＤＣ信号増幅用ＬＳＩ４０２を動作させるために必要な電源はＤＶＩ規格に則して設けられている＋５Ｖの余剰電力を利用できるように電源ラインを分岐させて、両方のＬＳＩ４０１及び４０２に供給するようにしている。特に、画像信号増幅用ＬＳＩ４０１の駆動電圧は＋３．３Ｖである場合が多いので、分岐させた電源ラインの中間に電圧変換素子４０３を設けて＋５Ｖを＋３．３Ｖに変換するようにしている。また、パソコンやＤＶＤ再生装置等の映像入力機器の仕様によっては、＋５Ｖの余剰電力が不足している場合もあるので、雄型ＤＶＩコネクタ２３には１００Ｖ〜２４０Ｖの交流電源を＋５Ｖの直流電源に変換するＡＣ／ＤＣ電源変換器５０の接続を可能にしている。本来設けられている＋５ＶとＡＣ／ＤＣ電源変換器５０の＋５Ｖが厳密に同一の電圧となるように制御することは困難であり、微少な電位差が発生するのは避けられない。その場合、不測の電流が発生して回路内を流れる結果、プロジェクタや液晶ディスプレイ等の映像出力機器やパソコンやＤＶＤ再生装置等の映像入力機器に障害を発生させることが予測される。その事態を回避するために電源切替素子４０４を設けて、ＡＣ／ＤＣ電源変換器５０が接続された場合にはその電圧を検知して本来設けられている＋５Ｖとの接続を遮断するようにしている。
【００４０】
図１に戻り、ＤＶＩ／ＨＤＭＩ変換ケーブル３０は、長さ０．１〜０．４ｍの絶縁被覆されたメタル線３１の一端に雌型ＤＶＩコネクタ３２が接続され、メタル線３１の他端に雄型ＨＤＭＩコネクタ３３が接続されている。メタル線３１の長さに関しては上述したＤＶＩ／ＨＤＭＩ変換ケーブル１０と同様である。
【００４１】
上述した３つのケーブル１０、２０及び３０を備えたデジタルビデオ表示システム１は、適用するパソコンやＤＶＤ再生装置等の映像入力機器とプロジェクタや液晶ディスプレイ等の映像出力機器の形態に応じて次のように組み合わせて使用する。ここで、ＤＶＩ／ＨＤＭＩ変換ケーブル１０をケーブル（１）、デジタル信号伝送ケーブル２０をケーブル（２）、ＤＶＩ／ＨＤＭＩ変換ケーブル３０をケーブル（３）とする。
【００４２】
2006293857.tif 000003
【００４３】
本実施の形態のデジタルビデオ表示システム１を布設する際には、上述したように先ずデジタル信号伝送ケーブル２０にＤＶＩ／ＨＤＭＩ変換ケーブル１０及び３０を接続しない状態で雄型ＨＤＭＩコネクタ２２を先頭にして布設を行い、それを終えた後はＤＶＩ／ＨＤＭＩ変換ケーブル１０及び３０夫々を接続する。このように、先にデジタル信号伝送ケーブル２０の布設を行い、その際に雄型ＨＤＭＩコネクタ２２を先頭にすることで、細径の管路や狭い空間でも容易に通過させることができる。
【００４４】
このように本実施の形態のデジタルビデオ表示システム１によれば、デジタル信号伝送ケーブル２０のＬＳＩ内蔵雄型ＤＶＩコネクタ２３にデジタル信号の整形及び増幅を行う補償回路を内蔵しているので、メタル線を使ったケーブルでもデジタル信号の長距離伝送を良好に行うことができ、パソコンやＤＶＤ再生装置等の映像入力機器と整形及び増幅を行うＬＳＩを内蔵していないプロジェクタや液晶ディスプレイ等の映像出力機器とが離れた位置にあっても、映像入力機器から映像出力機器へ伝送したデジタル信号の歪や減衰を補償するので、画質劣化のない綺麗な映像を表示することができる。
【００４５】
また、ケーブル布設時には、デジタル信号伝送ケーブル２０にＤＶＩ／ＨＤＭＩ変換ケーブル１０及び３０を接続する前に、デジタル信号伝送ケーブル２０をその雄型ＨＤＭＩコネクタ２２を先頭にすることで、細径の管路や狭い空間を容易に通過させることができ、ケーブル布設を容易に行える。
【００４６】
また、ＤＶＩ／ＨＤＭＩ変換ケーブル１０のコネクタ部分を除くメタル線１１の長さを０．１ｍから０．４ｍとしたので、パソコンやＤＶＤ再生装置等のＤＶＩレセプタクルを備えた映像入力機器に雄型ＤＶＩコネクタ１２を接続したときに他方の雌型ＨＤＭＩコネクタ１３が邪魔になることがない。また、長すぎることがないためデジタル信号の歪や減衰が生ずることがない。さらに適度な長さにすることで機器に接続する際の自由度を大きくできる。他方、ＤＶＩ／ＨＤＭＩ変換ケーブル３０もそのコネクタ部分を除くメタル線３１の長さを０．１ｍから０．４ｍとしたので、ＨＤＭＩコネクタを備えたプロジェクタや液晶ディスプレイ等の映像出力機器に雄型ＨＤＭＩコネクタ３３を接続したときに他方の雌型ＤＶＩコネクタ３２が邪魔になることがなく、また長すぎることがないためデジタル信号の歪や減衰が生ずることがない。
【００４７】
また、ＤＶＩ／ＨＤＭＩ変換ケーブル１０、３０とデジタル信号伝送ケーブル２０の３つのケーブルの組み合せを変えることでＤＶＩとＨＤＭＩの両方の機器を自由にレイアウトして接続することができる。特に、デジタル信号伝送ケーブル２０のように、始めにＨＤＭＩコネクタを取り付けたケーブルのみ所持している場合で、ＤＶＩコネクタを備えた映像入力機器と映像出力機器間を接続する場合、ＤＶＩ／ＨＤＭＩ変換ケーブル１０を使用すればいとも簡単に接続することができる。
【００４８】
なお、上記実施の形態では、補償回路４０を有するものとしてデジタル信号伝送ケーブル２０を挙げたが、ケーブルの有無を問わず補償回路４０が単体で存在するものであっても構わない。例えば、ＬＳＩ内蔵雄型ＤＶＩのみ存在するものが挙げられる。単体で存在するＬＳＩ内蔵雄型ＤＶＩ（接続器）を用意すれば、これとメタル線と雄型ＨＤＭＩコネクタとを揃えることで、デジタル信号伝送ケーブル２０と同等で任意の長さのものを製作することができる。
【産業上の利用可能性】
【００４９】
本発明は、ケーブルを介して伝送されてきて劣化したデジタル信号を元の状態になるように補償する補償回路を内蔵していないプロジェクタや液晶ディスプレイ等の映像出力機器を用いても、デジタル信号の長距離伝送を良好に行えるといった効果を有し、プロジェクタや液晶ディスプレイ等の映像出力機器とパソコンやＤＶＤ再生装置等の映像入力機器とを繋ぐデジタル信号伝送路として有用である。
【図面の簡単な説明】
【００５０】
【図１】本発明の一実施の形態に係るビデオ表示システムのケーブル部分を示す概略図である。
【図２】図１のデジタル信号伝送ケーブルの概観を示す図である。
【図３】図１のデジタル信号伝送ケーブルの雄型ＤＶＩコネクタに内蔵される補償回路の構成を示すブロック図である。
【図４】ＤＶＩインタフェース仕様のコネクタを備えたデジタル信号伝送ケーブルを示す概略図である。
【符号の説明】
【００５１】
１  デジタルビデオ表示システム
１０、３０  ＤＶＩ／ＨＤＭＩ変換ケーブル
１１、２１、３１  メタル線
１２  雄型ＤＶＩコネクタ
１３  雌型ＨＤＭＩコネクタ
２０  デジタル信号伝送ケーブル
２２、３３  雄型ＨＤＭＩコネクタ
２３  ＬＳＩ内蔵雄型ＤＶＩコネクタ
３２  雌型ＤＶＩコネクタ
４０  補償回路
５０  ＡＣ／ＤＣ電源変換器
４０１  画像信号増幅用ＬＳＩ
４０２  ＤＤＣ信号増幅用ＬＳＩ
４０３  電圧変換素子
４０４  電源切替素子
【図１】
2006293857.tif 000004
【図２】
2006293857.tif 000005
【図３】
2006293857.tif 000006
【図４】
2006293857.tif 000007